(57)【要約】【課題】衣服のウエストベルトに安価な糊なしカイロを短時間で自在に着脱できるカイロ用袋付き衣服を提供すること。【解決手段】カイロ用袋付きズボン１においては、ウエストベルト２の裏側にＺナップの雌側３ｂが等間隔で取り付けられたＺナップテープ３がウエストベルト２の全周に亘って縫付けられている。カイロ入り布袋は使い捨てカイロを縦向きに入れるカイロ収納部を有し、Ｚナップの雄側が２つ付くように切り離した雄側Ｚナップテープを布袋の上端の裏側に縫付けている。このような布袋のＺナップの雄側２個をズボン１のＺナップの雌側３ｂの２個に嵌め込むことによって、使い捨てカイロ入り布袋をズボン１のウエストベルト２の任意の位置に任意の個数だけ取り付けることができる。そして、寒いときや腰痛のとき等に腰まわりの任意の位置を暖めることができる。【選択図】　　　　図１
2004060121.tif 000002
【特許請求の範囲】
【請求項１】
衣服のウエストベルトの裏側に使い捨てカイロを入れるための布袋を取り付けたことを特徴とするカイロ用袋付き衣服。
【請求項２】
前記布袋は、伸縮性の素材で作製されていることを特徴とする請求項１に記載のカイロ用袋付き衣服。
【請求項３】
前記布袋は、複数であることを特徴とする請求項１または請求項２に記載のカイロ用袋付き衣服。
【請求項４】
前記布袋は、前記衣服の後ろ中央２箇所の裏側に取り付けたことを特徴とする請求項１乃至請求項３のいずれか１つに記載のカイロ用袋付き衣服。
【請求項５】
前記布袋は、前記衣服と着脱自在になっていることを特徴とする請求項１乃至請求項４のいずれか１つに記載のカイロ用袋付き衣服。
【請求項６】
前記布袋は、前記布袋と前記衣服の裏側にＺナップの雄側と雌側のそれぞれを相対的に取り付けることによって前記衣服と着脱自在になっていることを特徴とする請求項５に記載のカイロ用袋付き衣服。
【請求項７】
前記布袋は、前記布袋と前記衣服の裏側にラインスナップの雄側と雌側のそれぞれを相対的に取り付けることによって前記衣服と着脱自在になっていることを特徴とする請求項５に記載のカイロ用袋付き衣服。
【請求項８】
前記布袋は、前記布袋と前記衣服の裏側にボタンとボタンホールのそれぞれを相対的に取り付けることによって前記衣服と着脱自在になっていることを特徴とする請求項５に記載のカイロ用袋付き衣服。
【請求項９】
前記布袋は、前記布袋と前記衣服の裏側にスナップの雄側と雌側のそれぞれを相対的に取り付けることによって前記衣服と着脱自在になっていることを特徴とする請求項５に記載のカイロ用袋付き衣服。
【請求項１０】
前記布袋は、前記布袋と前記衣服の裏側にドット釦の雄側と雌側のそれぞれを相対的に取り付けることによって前記衣服と着脱自在になっていることを特徴とする請求項５に記載のカイロ用袋付き衣服。
【請求項１１】
前記布袋は、前記布袋と前記衣服の裏側にマジックテープ（登録商標）の硬い側と軟らかい側のそれぞれを相対的に取り付けることによって前記衣服と着脱自在になっていることを特徴とする請求項５に記載のカイロ用袋付き衣服。
【請求項１２】
前記布袋は、前記布袋と前記衣服の裏側にボタンとループのそれぞれを相対的に取り付けることによって前記衣服と着脱自在になっていることを特徴とする請求項５に記載のカイロ用袋付き衣服。
【請求項１３】
前記布袋は、前記布袋と前記衣服の裏側にアイレットスナップの雄側と雌側のそれぞれを相対的に取り付けることによって前記衣服と着脱自在になっていることを特徴とする請求項５に記載のカイロ用袋付き衣服。
【発明の詳細な説明】
【０００１】
【発明の属する技術分野】
本発明は、ズボン（パンツ）、スカート等の衣服のウエスト部分のベルト部裏側に布袋を取り付けて、この布袋に使い捨てカイロを収納することによって、腰まわりを暖めることができるカイロ用袋付き衣服に関するものである。
【０００２】
【従来の技術】
現在、使い捨てカイロとして、衣服に貼り付ける糊付きカイロと、ポケット等に収納して使用する糊なしカイロとがある。糊なしカイロは安価であるが、ポケット等収納位置が限られる。これに対して、糊付きカイロは貼り付け位置を自由に選ぶことができ、暖めたい箇所を集中的に暖めることができる。
【０００３】
【発明が解決しようとする課題】
しかし、糊付きカイロは価格が高く、また特に婦人物の衣服においては、使い終わった糊付きカイロを取り外そうとすると、糊がかなり強力なためなかなか剥がれず衣服の布地を傷める可能性がある。特に、高級品の下着に貼った場合には、布地を傷めないためには極めてゆっくり糊付きカイロを剥がさなければならず、非常に時間がかかっていた。
【０００４】
そこで、本発明は、衣服のウエストベルトに安価な糊なしカイロを短時間で自在に着脱できるカイロ用袋付き衣服を提供することを課題とするものである。
【０００５】
【課題を解決するための手段】
請求項１の発明にかかるカイロ用袋付き衣服は、衣服のウエストベルトの裏側に使い捨てカイロを入れるための布袋を取り付けたものである。なお、ここで「衣服」には、ウエスト伸縮構造、後ろウエストパット付き伸縮衣服、ウエストサイズ調節機構付き衣服も含まれる。
【０００６】
これによって、このカイロ用袋付き衣服を着用したときには、着用者のウエストベルトの裏側に取り付けられた布袋に使い捨てカイロを入れることによって、着用者の腰まわりを暖めることができ、寒いときや腰痛のとき等に履き心地が良い。さらに、衣服の後ろ中心の裏側に布袋を取り付けて使い捨てカイロを収容することによって、ヒップラインが丸みを帯びて、日本人に多い扁平なヒップラインが改良されて、より美しいヒップラインが形成される。
【０００７】
このようにして、衣服のウエストベルトの裏側に使い捨てカイロを入れるための布袋を取り付けたことによって、安価な糊なしカイロを短時間で自在に着脱でき、着用者の腰まわりを暖めることができる。
【０００８】
請求項２の発明にかかるカイロ用袋付き衣服は、請求項１の構成において、前記布袋は伸縮性の素材で作製されているものである。
【０００９】
これによって、使い捨てカイロを布袋内に入れやすくなり、また使い捨てカイロの大きさも一定範囲内でより大きくすることができる。
【００１０】
このようにして、使い捨てカイロの出し入れがより容易で、より大き目の使い捨てカイロをも収容することができるカイロ用袋付き衣服となる。
【００１１】
請求項３の発明にかかるカイロ用袋付き衣服は、請求項１または請求項２の構成において、前記布袋は複数であるものである。
【００１２】
これによって、複数の布袋のうち暖めたい部分の布袋に使い捨てカイロを入れることができ、より快適な履き心地となる。さらに、ウエストベルトの全周に亘って複数の布袋を取り付ければ、場合に応じて最適な１または２以上の布袋に使い捨てカイロを入れることにより、自由に暖める箇所を変化させることができる。
【００１３】
請求項４の発明にかかるカイロ用袋付き衣服は、請求項１乃至請求項３のいずれか１つの構成において、前記布袋は前記衣服の後ろ中央２箇所の裏側に取り付けたものである。
【００１４】
この２つの布袋に使い捨てカイロを入れることによって、暖める効果のみでなく、ヒップラインが丸みを帯びて、日本人に多い扁平なヒップラインが改良されて、より美しいヒップラインが形成される。
【００１５】
請求項５の発明にかかるカイロ用袋付き衣服は、請求項１乃至請求項４のいずれか１つの構成において、前記布袋は前記衣服と着脱自在になっているものである。
【００１６】
これによって、衣服を洗濯するとき等には布袋を取り外すことができ、また使い捨てカイロが不要なときにも布袋を取り外すことができる。さらに、使い捨てカイロのサイズを変えたいときにもサイズの異なる布袋と取り替えることによって、中に入れる使い捨てカイロのサイズを自在に変えることができる。
【００１７】
このようにして、衣服を洗濯するときや使い捨てカイロが不要なときに布袋を取り外すことができ、また使い捨てカイロの大きさを自在に変えることができるカイロ用袋付き衣服となる。
【００１８】
請求項６の発明にかかるカイロ用袋付き衣服は、請求項５の構成において、前記布袋は前記布袋と前記衣服の裏側にＺナップの雄側と雌側のそれぞれをあるいはその逆に取り付けることによって前記衣服と着脱自在になっているものである。
【００１９】
即ち、布袋を衣服と独立に作製して、布袋の上端にＺナップの雄側または雌側を１個または複数個取り付けて、衣服のウエストベルトの裏側にＺナップの対応する側を同数、同間隔で取り付ける。そして、布袋に使い捨てカイロを入れて布袋のＺナップを衣服のウエストベルトの裏側のＺナップに嵌合させれば、衣服の裏側に使い捨てカイロの入った布袋を取り付けることができる。これによって、衣服を洗濯するとき等にはＺナップを引き離すことによって布袋を取り外すことができ、また使い捨てカイロが不要なときにも布袋を取り外すことができる。
【００２０】
請求項７の発明にかかるカイロ用袋付き衣服は、請求項５の構成において、前記布袋は前記布袋と前記衣服の裏側にラインスナップの雄側と雌側のそれぞれをあるいはその逆に取り付けることによって前記衣服と着脱自在になっているものである。
【００２１】
即ち、布袋を衣服と独立に作製して、布袋の上端にラインスナップの雄側または雌側を取り付けて、衣服のウエストベルトの裏側にラインスナップの対応する側を取り付ける。そして、布袋に使い捨てカイロを入れて布袋のラインスナップを衣服のウエストベルトの裏側のラインスナップに嵌合させれば、衣服の裏側に使い捨てカイロの入った布袋を取り付けることができる。これによって、衣服を洗濯するとき等にはラインスナップを引き離すことによって布袋を取り外すことができ、また使い捨てカイロが不要なときにも布袋を取り外すことができる。
【００２２】
請求項８の発明にかかるカイロ用袋付き衣服は、請求項５の構成において、前記布袋は前記布袋と前記衣服の裏側にボタンとボタンホールのそれぞれをあるいはその逆に取り付けることによって前記衣服と着脱自在になっているものである。
【００２３】
即ち、布袋を衣服と独立に作製して、布袋の上端にボタンまたはボタンホールを取り付けて、衣服のウエストベルトの裏側にボタンホールまたはボタンを取り付ける。そして、布袋に使い捨てカイロを入れて布袋または衣服のボタンを衣服または布袋のボタンホールに嵌合させれば、衣服の裏側に使い捨てカイロの入った布袋を取り付けることができる。これによって、衣服を洗濯するとき等にはボタンを外すことによって布袋を取り外すことができ、また使い捨てカイロが不要なときにも布袋を取り外すことができる。
【００２４】
請求項９の発明にかかるカイロ用袋付き衣服は、請求項５の構成において、前記布袋は前記布袋と前記衣服の裏側にスナップの雄側と雌側のそれぞれをあるいはその逆に取り付けることによって前記衣服と着脱自在になっているものである。
【００２５】
即ち、布袋を衣服と独立に作製して、布袋の上端にスナップの雄側または雌側を取り付けて、衣服のウエストベルトの裏側にスナップの対応する側を取り付ける。そして、布袋に使い捨てカイロを入れて布袋のスナップを衣服のウエストベルトの裏側のスナップに嵌合させれば、衣服の裏側に使い捨てカイロの入った布袋を取り付けることができる。これによって、衣服を洗濯するとき等にはスナップを外すことによって布袋を取り外すことができ、また使い捨てカイロが不要なときにも布袋を取り外すことができる。
【００２６】
請求項１０の発明にかかるカイロ用袋付き衣服は、請求項５の構成において、前記布袋は前記布袋と前記衣服の裏側にドット釦の雄側と雌側のそれぞれをあるいはその逆に取り付けることによって前記衣服と着脱自在になっているものである。
【００２７】
即ち、布袋を衣服と独立に作製して、布袋の上端にドット釦の雄側または雌側を取り付けて、衣服のウエストベルトの裏側にドット釦の対応する側を取り付ける。そして、布袋に使い捨てカイロを入れて布袋のドット釦を衣服のウエストベルトの裏側のドット釦に嵌合させれば、衣服の裏側に使い捨てカイロの入った布袋を取り付けることができる。これによって、衣服を洗濯するとき等にはドット釦を外すことによって布袋を取り外すことができ、また使い捨てカイロが不要なときにも布袋を取り外すことができる。
【００２８】
請求項１１の発明にかかるカイロ用袋付き衣服は、請求項５の構成において、前記布袋は前記布袋と前記衣服の裏側にマジックテープ（登録商標）（以下、略する。）の硬い側と軟らかい側のそれぞれをあるいはその逆に取り付けることによって前記衣服と着脱自在になっているものである。
【００２９】
即ち、布袋を衣服と独立に作製して、布袋の上端にマジックテープの硬い側または軟らかい側を取り付けて、衣服のウエストベルトの裏側にマジックテープの対応する側を取り付ける。そして、布袋に使い捨てカイロを入れて布袋のマジックテープを衣服のウエストベルトの裏側のマジックテープに貼り付ければ、衣服の裏側に使い捨てカイロの入った布袋を取り付けることができる。これによって、衣服を洗濯するとき等にはマジックテープを剥がすことによって布袋を取り外すことができ、また使い捨てカイロが不要なときにも布袋を取り外すことができる。
【００３０】
請求項１２の発明にかかるカイロ用袋付き衣服は、請求項５の構成において、前記布袋は前記布袋と前記衣服の裏側にボタンとループのそれぞれをあるいはその逆に取り付けることによって前記衣服と着脱自在になっているものである。
【００３１】
即ち、布袋を衣服と独立に作製して、布袋の上端にボタンまたはループを取り付けて、衣服のウエストベルトの裏側にループまたはボタンを取り付ける。そして、布袋に使い捨てカイロを入れてループをボタンに掛ければ、衣服の裏側に使い捨てカイロの入った布袋を取り付けることができる。これによって、衣服を洗濯するとき等にはループをボタンから外すことによって布袋を取り外すことができ、また使い捨てカイロが不要なときにも布袋を取り外すことができる。
【００３２】
請求項１３の発明にかかるカイロ用袋付き衣服は、請求項５の構成において、前記布袋は前記布袋と前記衣服の裏側にアイレットスナップの雄側と雌側のそれぞれをあるいはその逆に取り付けることによって前記衣服と着脱自在になっているものである。
【００３３】
即ち、布袋を衣服と独立に作製して、布袋の上端にアイレットスナップの雄側または雌側を取り付けて、衣服のウエストベルトの裏側にアイレットスナップの対応する側を取り付ける。そして、布袋に使い捨てカイロを入れて布袋のアイレットスナップを衣服のウエストベルトの裏側のアイレットスナップに嵌合させれば、衣服の裏側に使い捨てカイロの入った布袋を取り付けることができる。これによって、衣服を洗濯するとき等にはアイレットスナップを外すことによって布袋を取り外すことができ、また使い捨てカイロが不要なときにも布袋を取り外すことができる。
【００３４】
【発明の実施の形態】
以下、本発明のカイロ用袋付き衣服を主に婦人用パンツ（ズボン）に適用した場合の実施の形態について説明する。なお、婦人用パンツにおいては、通常は前明の部分を右前とする場合が多いが、以下の各実施の形態においては前明の部分を左前とした場合について説明する。また、本発明のカイロ用袋付き衣服は、紳士用ズボン、Ｇパン、スカート、ワンピース等、さらにはこれらのウエストサイズ調節機構付き衣服にも適用できるものである。
【００３５】
実施の形態１
まず、本発明の実施の形態１について、図１乃至図４を参照して説明する。図１は本発明の実施の形態１にかかるカイロ用袋付き衣服の布袋をＺナップで取り付けるウエストベルト内側を開いたところを示す斜視図である。図２は本発明の実施の形態１にかかるカイロ用袋付き衣服の使い捨てカイロを入れる布袋を示す正面図である。図３は本発明の実施の形態１にかかるカイロ用袋付き衣服の布袋の別例を示した正面図である。図４は本発明の実施の形態１にかかるカイロ用袋付き衣服の布袋の横型を示す正面図である。
【００３６】
図１に示されるように、本実施の形態１のカイロ用袋付き衣服としてのカイロ用袋付きズボン（以下、単に「ズボン」または「パンツ」ともいう。）１は、本体ウエストベルト２の裏側にＺナップの雌側３ｂが等間隔で取り付けられたＺナップテープ３がウエストベルト２の全周に亘って縫付けられている。ここで、Ｚナップテープ３は伸びない素材からなるため、ズボン１のウエストベルト２が伸びない素材である場合にはＺナップテープ３を連続して縫付けても良いが、ウエストベルト２が伸びる素材である場合、あるいはウエストサイズ調節機構付きズボンである場合には、Ｚナップテープ３を部分部分で切り離して縫付ける必要がある。
【００３７】
このＺナップテープ３に、図２，図３，図４に示されるような構造の布袋が取り付けられる。図２の布袋４は使い捨てカイロＫを縦向きに入れるカイロ収納部６を有し、Ｚナップの雄側３ａが２つ付くように切り離した雄側Ｚナップテープ５を布袋４の上端の裏側に縫付けている。これに対して、図３の布袋８は切り離した雄側Ｚナップテープ５を布袋４の上端の表側に縫付けている。また、図４の布袋１０は使い捨てカイロＫを横向きに入れるカイロ収納部６を有し、Ｚナップの雄側３ａが２つ付くように切り離した雄側Ｚナップテープ５を布袋１０の上端の裏側に縫付けている。
【００３８】
このような布袋４，８，１０のＺナップの雄側３ａを図１のズボン１のＺナップの雌側３ｂに嵌め込むことによって、使い捨てカイロ入り布袋をズボン１のウエストベルト２の任意の位置に任意の個数だけ取り付けることができる。そして、寒いときや腰痛のとき等に腰まわりの任意の位置を暖めることができる。また、ズボン１の後ろ中央２箇所の裏側に布袋を取り付けた場合には、この２つの布袋に使い捨てカイロを入れることによって、暖める効果のみでなく、ヒップラインが丸みを帯びて、日本人に多い扁平なヒップラインが改良されて、より美しいヒップラインが形成される。
【００３９】
勿論これと逆に雄側Ｚナップテープ５をウエストベルト２の全周に亘って縫付け、布袋の上端部に雌側Ｚナップテープ３を切り離したものが取り付けられた構造でも良い。
【００４０】
さらに、Ｚナップを外すことによって、ズボン１を洗濯するとき等には布袋を取り外すことができ、また使い捨てカイロが不要なときにも布袋を取り外すことができる。さらに、使い捨てカイロのサイズを変えたいときにもサイズの異なる布袋と取り替えることによって、中に入れる使い捨てカイロのサイズを自在に変えることができる。
【００４１】
実施の形態２
次に、本発明の実施の形態２について、図５を参照して説明する。図５は本発明の実施の形態２にかかるカイロ用袋付き衣服の布袋をラインスナップで取り付けるウエストベルト内側を開いたところを示す斜視図である。
【００４２】
図５に示されるように、本実施の形態２のカイロ用袋付き衣服としてのズボン１１は、本体ウエストベルト１２の裏側にスナップの雌側１３ｂが等間隔で取り付けられたラインスナップ１３がウエストベルト１２の全周に亘って縫付けられている。ここで、ラインスナップ１３は伸びない素材からなるため、ズボン１１のウエストベルト１２が伸びない素材である場合にはラインスナップ１３を連続して縫付けても良いが、ウエストベルト１２が伸びる素材である場合には、ラインスナップ１３を部分部分で切り離して縫付ける必要がある。
【００４３】
このラインスナップ１３に、実施の形態１と同様に図２，図３，図４に示されるような構造の布袋が取り付けられる。ただし、Ｚナップの雄側の代わりにスナップの雄側が布袋の上端部に取り付けられたものである。使い捨てカイロを入れたこれらの布袋のスナップの雄側をラインスナップ１３のスナップの雌側に嵌めることによって、ウエストベルト１２の裏側の任意の位置に任意の個数だけカイロ入り布袋を取り付けることができる。
【００４４】
勿論これと逆にスナップの雄側が等間隔で取り付けられたラインスナップがウエストベルト１２の全周に亘って縫付けられて、布袋の上端部にスナップの雌側が取り付けられた構造でも良い。
【００４５】
実施の形態３
次に、本発明の実施の形態３について、図６及び図７を参照して説明する。図６は本発明の実施の形態３にかかるカイロ用袋付き衣服の布袋をボタンで取り付けるウエストベルト内側を開いたところを示す部分斜視図である。図７は本発明の実施の形態３にかかるカイロ用袋付き衣服の布袋をボタンホールで取り付けるウエストベルト内側を開いたところを示す部分斜視図である。
【００４６】
図６に示されるように、本実施の形態３のカイロ用袋付きズボンとしてのズボン１６においては、ウエストベルト１７の裏側に全周に亘ってボタン１８を等間隔に縫付けている。このボタン１８に、実施の形態１と同様に図２，図３，図４に示されるような構造の布袋が取り付けられる。ただし、Ｚナップの雄側の代わりに２つのボタンホールが布袋の上端部に設けられたものである。（ボタンホールは布袋の中央に１つでも良いが、取り付け後の安定性を考えると２つが望ましい。）使い捨てカイロを入れたこれらの布袋の２つのボタンホールを２つのボタン１８に係合することによって、ウエストベルト１７の裏側の任意の位置に任意の個数だけカイロ入り布袋を取り付けることができる。
【００４７】
図７に示されるのは、本実施の形態３のボタンとボタンホールを逆にした変形例である。即ち、このズボン２１においては、テープ２３に等間隔にボタンホール２４を施し、このテープ２３をウエストベルト２２に挟んで全周に亘って縫付ける。このボタンホール２４に、実施の形態１と同様に図２，図３，図４に示されるような構造の布袋が取り付けられる。ただし、Ｚナップの雄側の代わりに２つのボタンが布袋の上端部に取り付けられたものである。使い捨てカイロを入れたこれらの布袋の２つのボタンを２つのボタンホール２４に係合することによって、ウエストベルト２２の裏側の任意の位置に任意の個数だけカイロ入り布袋を取り付けることができる。
【００４８】
さらに、本実施の形態３の別の変形例として、図６のボタン１８の代わりにスナップまたはアイレットスナップまたはドット釦の雄側または雌側がウエストベルト１７の裏側に等間隔で取り付けられたものを用いることもできる。さらに、スナップの代わりにスプリングホック及びカギホックを使うこともできる。これらに実施の形態１と同様に図２，図３，図４に示されるような構造の布袋が取り付けられる。ただし、Ｚナップの雄側の代わりに２つのスナップまたはアイレットスナップまたはドット釦の対応する側が布袋の上端部に取り付けられたものである。使い捨てカイロを入れたこれらの布袋の２つのスナップまたはアイレットスナップまたはドット釦の雄側または雌側を２つの雌側または雄側に嵌め合わせることによって、ウエストベルト１７の裏側の任意の位置に任意の個数だけカイロ入り布袋を取り付けることができる。
【００４９】
実施の形態４
次に、本発明の実施の形態４について、図８を参照して説明する。図８は本発明の実施の形態４にかかるカイロ用袋付き衣服の布袋をマジックテープで取り付けるウエストベルト内側を開いたところを示す部分斜視図である。
【００５０】
図８に示されるように、本実施の形態４のカイロ用袋付きズボンとしてのズボン２６においては、ウエストベルト２７の裏側に全周に亘ってマジックテープの硬い側または軟らかい側２８を縫付けている。ここで、マジックテープ２８は伸びない素材からなるため、ズボン２６のウエストベルト２７が伸びない素材である場合にはマジックテープ２８を連続して縫付けても良いが、ウエストベルト２７が伸びる素材である場合には、マジックテープ２８を部分部分で切り離して縫付ける必要がある。
【００５１】
このマジックテープ２８に、実施の形態１と同様に図２，図３，図４に示されるような構造の布袋が取り付けられる。ただし、Ｚナップの雄側の代わりにマジックテープの軟らかい側または硬い側が布袋の上端部に縫付けられたものである。使い捨てカイロを入れたこれらの布袋のマジックテープをズボン２６のマジックテープ２８に貼り付けることによって、ウエストベルト２７の裏側の任意の位置に任意の個数だけカイロ入り布袋を取り付けることができる。
【００５２】
実施の形態５
次に、本発明の実施の形態５について、図９乃至図１２を参照して説明する。図９は本発明の実施の形態５にかかるカイロ用袋付き衣服の布袋をループで取り付けるウエストベルト内側を開いたところを示す部分斜視図である。図１０は図９のループに掛けるボタンを取り付けた布袋を示す正面図である。図１１は本発明の実施の形態５の変形例にかかるカイロ用袋付き衣服の布袋にループを取り付けたものを示す正面図である。図１２は本発明の実施の形態５の変形例にかかるカイロ用袋付き衣服の布袋のループをウエストベルト裏側のボタンに掛けて取り付けた状態を示す部分正面図である。
【００５３】
図９に示されるように、本実施の形態５のカイロ用袋付き衣服としてのズボン３１は、ウエストベルト３２の下端にループ３３が全周に亘って等間隔で取り付けられている。このループ３３に取り付けられる布袋３４は、図１０に示されるように、布袋の上端部３５にループ３３と同間隔で２個のボタン３６が取り付けられている。これによって、カイロ収納部３７に使い捨てカイロを入れて、２個のボタン３６を２つのループ３３に掛けることによって、ウエストベルト３２の裏側の任意の位置に任意の個数だけカイロ入り布袋を取り付けることができる。
【００５４】
図１１は本実施の形態５の変形例で、ウエストベルトにボタンを取り付け、布袋にループを取り付けた場合を示すものである。即ち、図６に示されるズボン１６のようにウエストベルト１７の裏側に全周に亘って等間隔でボタン１８を取り付け、一方図１１に示されるように布袋３８の上端部３９にボタン１８と同間隔で２つのループ４０を取り付ける。そして、図１２に示されるように、布袋３８のカイロ収納部３７に使い捨てカイロを入れて、２つのループ４０をウエストベルト１７の裏側の２個のボタン１８に掛ける。これによって、ウエストベルト１７の裏側の任意の位置に任意の個数だけカイロ入り布袋を取り付けることができる。
【００５５】
なお、ループ３３、ループ４０の代わりに図１３に示されるようなチイ４１と呼ばれるループと同じ役割をするものを用いても良い。
【００５６】
実施の形態６
次に、本発明の実施の形態６について、図１４及び図１５を参照して説明する。図１４は本発明の実施の形態６にかかるカイロ用袋付き衣服にシャーリングを設けた場合の布袋をＺナップで取り付けるウエストベルト内側を開いたところを示す部分斜視図である。図１５は本発明の実施の形態６の変形例にかかるカイロ用袋付き衣服にシャーリングを設けた場合の布袋をＺナップで取り付けるウエストベルト内側を開いたところを示す部分斜視図である。
【００５７】
図１４に示されるように、本実施の形態６のカイロ用袋付き衣服としてのパンツ４２には脇にシャーリング４４が設けられているため、ウエスト周りが伸びるので、Ｚナップテープ３をウエストベルト４３の全周に亘って連続で取り付けることができない。そこで、部分部分でＺナップテープ３を切り離してウエストベルト４３の裏側の下端に縫付けていく。この際、シャーリング４４は避けて縫付けていくので、シャーリング４４の部分にはカイロ入り布袋を取り付けることができない。
【００５８】
これに対して、図１５に示される本実施の形態６の変形例としてのパンツ４５においては、部分部分で切り離したＺナップテープ３をウエストベルト４３の裏側の下端に縫付けるのみでなく、雌側Ｚナップ３ｂを１個だけ切り離してシャーリング４４の下端に縫付けている。したがって、カイロ入り布袋の上端中央部に雄側Ｚナップ３ａを１個縫付けたものを作製すれば、シャーリング４４の部分にもカイロ入り布袋を取り付けることができ、シャーリング４４の伸縮性を損なうことなく、パンツ４５の脇周辺を暖めることができる。
【００５９】
実施の形態７
次に、本発明の実施の形態７について、図１６乃至図１９を参照して説明する。図１６は本発明の実施の形態７にかかるカイロ用袋付き衣服に用いられるカイロ１個入り布袋を示す正面図である。図１７〜図１９は本発明の実施の形態７にかかるカイロ用袋付き衣服に用いられるカイロ１個入り布袋の変形例を示す正面図である。
【００６０】
図１６に示される布袋４６は縦方向カイロ１個入り布袋であり、カイロ収納部４８に矢印で示されるように使い捨てカイロＫを収納する。布袋４６の上端部４７は後ろ側に折り曲げて縫付けてあり、実施の形態２のラインスナップや実施の形態４のマジックテープを用いてウエストベルトの裏側に取り付けるのに適している。
【００６１】
図１７に示される布袋５１も縦方向カイロ１個入り布袋であり、布袋４６の変形例である。この布袋５１は生地が横方向に輪になって下端５４と生地の合わせ目の上下５５ａ，５５ｂにおいて縫付けられており、矢印に示されるように生地の合わせ目の上下５５ａ，５５ｂの間から、使い捨てカイロＫがカイロ収納部５２に収納される。布袋５１の上端には２つのループ５３が取り付けられており、実施の形態５のように、ウエストベルトの裏側に取り付けられたボタンにループ５３を掛けることによって、カイロ入り布袋５１をウエストベルトの裏側に取り付けることができる。
【００６２】
図１８に示される布袋５６も縦方向カイロ１個入り布袋であり、布袋４６の変形例である。そして、布袋４６と同様に、カイロ収納部５７に矢印で示されるように使い捨てカイロを収納する。布袋５６の上端部５８には２つのボタンホール５９が設けてあり、実施の形態３のようにウエストベルトの裏側に取り付けられたボタンにボタンホール５９を係合することによって、カイロ入り布袋５６をウエストベルトの裏側に取り付けることができる。
【００６３】
図１９に示される布袋６１は横方向カイロ１個入り布袋であり、やはり布袋４６の変形例であって、カイロ収納部６３に矢印で示されるように使い捨てカイロＫを収納する。布袋６１の上端部６２は後ろ側に折り曲げて縫付けてあり、実施の形態２のラインスナップや実施の形態４のマジックテープを用いてウエストベルトの裏側に取り付けるのに適している。
【００６４】
実施の形態８
次に、本発明の実施の形態８について、図２０乃至図２２を参照して説明する。図２０は本発明の実施の形態８にかかるカイロ用袋付き衣服に用いられるカイロ２個入り布袋を示す正面図である。図２１，図２２は本発明の実施の形態８にかかるカイロ用袋付き衣服に用いられるカイロ２個入り布袋の変形例を示す正面図である。
【００６５】
図２０に示される布袋６６は横方向カイロ２個入り布袋であり、２つのカイロ収納部６８に矢印で示されるように横向きに使い捨てカイロＫ２個を収納する。布袋６６の上端部６７は後ろ側に折り曲げて縫付けてあり、実施の形態２のラインスナップや実施の形態４のマジックテープを用いてウエストベルトの裏側に取り付けるのに適している。
【００６６】
図２１に示される布袋７１は縦方向カイロ２個入り布袋であり、布袋６６の変形例であって、２つのカイロ収納部７３に矢印で示されるように縦向きに使い捨てカイロＫ２個を収納する。布袋７１の上端部７２は後ろ側に折り曲げて縫付けてあり、実施の形態２のラインスナップや実施の形態４のマジックテープを用いてウエストベルトの裏側に取り付けるのに適している。
【００６７】
図２２に示される布袋７６は縦方向カイロ２個入り布袋であり、布袋６６の変形例である。この布袋７６は生地が横方向に輪になって下端７９と生地の合わせ目の上下８０ａ，８０ｂにおいて縫付けられており、矢印に示されるように生地の合わせ目の上下８０ａ，８０ｂの間から、まず１個目の使い捨てカイロＫがカイロ収納部７７の左側に収納される。それから破線の矢印で示されるようにカイロＫをカイロ収納部７７の右側に移動させ、２個目の使い捨てカイロＫがカイロ収納部７７の左側に収納される。
【００６８】
布袋７６の上端には３つのループ７８が取り付けられており、実施の形態５のように、ウエストベルトの裏側に取り付けられたボタンにループ７８を掛けることによって、カイロ入り布袋７６をウエストベルトの裏側に取り付けることができる。
【００６９】
実施の形態９
次に、本発明の実施の形態９について、図２３を参照して説明する。図２３は本発明の実施の形態９にかかるカイロ用袋付き衣服に用いられるカイロ５個入り布袋を示す正面図である。
【００７０】
図２３に示される布袋８１は縦方向カイロ５個入り布袋であり、ウエスト全周に合わせた長さになっており、５つのカイロ収納部８３に矢印で示されるように縦向きに使い捨てカイロ５個を収納できる。５つのカイロ収納部８３全部にでなく、必要な箇所のみに使い捨てカイロを入れても良い。布袋８１の上端部８２は後ろ側に折り曲げて縫付けてあり、実施の形態２のラインスナップや実施の形態４のマジックテープを用いてウエストベルトの裏側に取り付けるのに適している。
【００７１】
その他にも布袋８１の上端部８２に一定間隔でボタンホールを設けてウエストベルトの裏側に同間隔で取り付けたボタンに係止することによって取り付ける方法や、布袋８１の上端部８２に一定間隔でループ（チイでも良い）を取り付けてウエストベルトのボタンに掛けることによって取り付ける方法や、布袋８１の上端部８２に雄側または雌側のＺナップテープを縫付けて、ウエストベルトの裏側に縫付けた雌側または雄側のＺナップテープとＺナップ同士を嵌め合わせることによって取り付ける方法を採ることもできる。
【００７２】
また、本実施の形態９においては使い捨てカイロを縦向きに入れるようになっているが、横向きに入れるようにも作れるし、使い捨てカイロのサイズの大きい場合は布袋の数を減らせば良い。逆にウエストサイズの大きい人の場合は、布袋の数を増やすこともできる。
【００７３】
実施の形態１０
次に、本発明の実施の形態１０について、図２４を参照して説明する。図２４は本発明の実施の形態１０にかかるカイロ用袋付き衣服に布袋を取り付けるウエストベルト内側を開いたところを示す部分斜視図である。
【００７４】
上記各実施の形態においては、いずれもカイロ入り布袋がズボンあるいはパンツと着脱自在の構造になっていた。それに対して、本実施の形態１０のカイロ用袋付き衣服としてのズボン８６においては、カイロ入り布袋８８をウエストベルト８７に挟んで縫付け、固定してしまっている。（図では後ろ中心と左脇の布袋しか示されていないが、右脇にも取り付けられるので計３個となる。）
変形例として、図２３に示されるようなウエストベルト全周に亘るような複数の布袋をウエストベルト８７に挟んで縫付ければ、必要な箇所のみに使い捨てカイロを入れることによって、固定式でも暖める箇所を選択することができる。
【００７５】
上記各実施の形態においては、本発明のカイロ用袋付き衣服を主に婦人用パンツに適用した場合について説明したが、本発明のカイロ用袋付き衣服は衣服全般について適用できるものであり、紳士用ズボン、Ｇパン等、さらにはパジャマ、ワンピース等にも適用することができる。
【００７６】
また、布袋の素材としては通常の生地、布地の他に網状の伸縮性の素材をも用いることができる。伸縮性の素材を用いた場合には、使い捨てカイロの出し入れがより容易となり、またより大き目の使い捨てカイロをも収容することができる。
【００７７】
カイロ用袋付き衣服のその他の部分の構造、形状、数量、材質、大きさ、接続関係等についても、上記各実施の形態に限定されるものではない。
【００７８】
【発明の効果】
以上説明したように、請求項１の発明にかかるカイロ用袋付き衣服は、衣服のウエストベルトの裏側に使い捨てカイロを入れるための布袋を取り付けたものである。
【００７９】
これによって、このカイロ用袋付き衣服を着用したときには、着用者のウエストベルトの裏側に取り付けられた布袋に使い捨てカイロを入れることによって、着用者の腰まわりを暖めることができ、寒いときや腰痛のとき等に履き心地が良い。さらに、衣服の後ろ中心の裏側に布袋を取り付けて使い捨てカイロを収容することによって、ヒップラインが丸みを帯びて、日本人に多い扁平なヒップラインが改良されて、より美しいヒップラインが形成される。
【００８０】
このようにして、衣服のウエストベルトの裏側に使い捨てカイロを入れるための布袋を取り付けたことによって、安価な糊なしカイロを短時間で自在に着脱でき、着用者の腰まわりを暖めることができる。
【００８１】
請求項２の発明にかかるカイロ用袋付き衣服は、請求項１の構成において、前記布袋は伸縮性の素材で作製されているものである。
【００８２】
これによって、使い捨てカイロを布袋内に入れやすくなり、また使い捨てカイロの大きさも一定範囲内でより大きくすることができる。
【００８３】
このようにして、使い捨てカイロの出し入れがより容易で、より大き目の使い捨てカイロをも収容することができるカイロ用袋付き衣服となる。
【００８４】
請求項３の発明にかかるカイロ用袋付き衣服は、請求項１または請求項２の構成において、前記布袋は複数であるものである。
【００８５】
これによって、複数の布袋のうち暖めたい部分の布袋に使い捨てカイロを入れることができ、より快適な履き心地となる。さらに、ウエストベルトの全周に亘って複数の布袋を取り付ければ、場合に応じて最適な１または２以上の布袋に使い捨てカイロを入れることにより、自由に暖める箇所を変化させることができる。
【００８６】
請求項４の発明にかかるカイロ用袋付き衣服は、請求項１乃至請求項３のいずれか１つの構成において、前記布袋は前記衣服の後ろ中央２箇所の裏側に取り付けたものである。
【００８７】
この２つの布袋に使い捨てカイロを入れることによって、暖める効果のみでなく、ヒップラインが丸みを帯びて、日本人に多い扁平なヒップラインが改良されて、より美しいヒップラインが形成される。
【００８８】
請求項５の発明にかかるカイロ用袋付き衣服は、請求項１乃至請求項４のいずれか１つの構成において、前記布袋は前記衣服と着脱自在になっているものである。
【００８９】
これによって、衣服を洗濯するとき等には布袋を取り外すことができ、また使い捨てカイロが不要なときにも布袋を取り外すことができる。さらに、使い捨てカイロのサイズを変えたいときにもサイズの異なる布袋と取り替えることによって、中に入れる使い捨てカイロのサイズを自在に変えることができる。
【００９０】
このようにして、衣服を洗濯するときや使い捨てカイロが不要なときに布袋を取り外すことができ、また使い捨てカイロの大きさを自在に変えることができるカイロ用袋付き衣服となる。
【００９１】
請求項６の発明にかかるカイロ用袋付き衣服は、請求項５の構成において、前記布袋は前記布袋と前記衣服の裏側にＺナップの雄側と雌側のそれぞれをあるいはその逆に取り付けることによって前記衣服と着脱自在になっているものである。
【００９２】
即ち、布袋を衣服と独立に作製して、布袋の上端にＺナップの雄側または雌側を１個または複数個取り付けて、衣服のウエストベルトの裏側にＺナップの対応する側を同数、同間隔で取り付ける。そして、布袋に使い捨てカイロを入れて布袋のＺナップを衣服のウエストベルトの裏側のＺナップに嵌合させれば、衣服の裏側に使い捨てカイロの入った布袋を取り付けることができる。これによって、衣服を洗濯するとき等にはＺナップを引き離すことによって布袋を取り外すことができ、また使い捨てカイロが不要なときにも布袋を取り外すことができる。
【００９３】
請求項７の発明にかかるカイロ用袋付き衣服は、請求項５の構成において、前記布袋は前記布袋と前記衣服の裏側にラインスナップの雄側と雌側のそれぞれをあるいはその逆に取り付けることによって前記衣服と着脱自在になっているものである。
【００９４】
即ち、布袋を衣服と独立に作製して、布袋の上端にラインスナップの雄側または雌側を取り付けて、衣服のウエストベルトの裏側にラインスナップの対応する側を取り付ける。そして、布袋に使い捨てカイロを入れて布袋のラインスナップを衣服のウエストベルトの裏側のラインスナップに嵌合させれば、衣服の裏側に使い捨てカイロの入った布袋を取り付けることができる。これによって、衣服を洗濯するとき等にはラインスナップを引き離すことによって布袋を取り外すことができ、また使い捨てカイロが不要なときにも布袋を取り外すことができる。
【００９５】
請求項８の発明にかかるカイロ用袋付き衣服は、請求項５の構成において、前記布袋は前記布袋と前記衣服の裏側にボタンとボタンホールのそれぞれをあるいはその逆に取り付けることによって前記衣服と着脱自在になっているものである。
【００９６】
即ち、布袋を衣服と独立に作製して、布袋の上端にボタンまたはボタンホールを取り付けて、衣服のウエストベルトの裏側にボタンホールまたはボタンを取り付ける。そして、布袋に使い捨てカイロを入れて布袋または衣服のボタンを衣服または布袋のボタンホールに嵌合させれば、衣服の裏側に使い捨てカイロの入った布袋を取り付けることができる。これによって、衣服を洗濯するとき等にはボタンを外すことによって布袋を取り外すことができ、また使い捨てカイロが不要なときにも布袋を取り外すことができる。
【００９７】
請求項９の発明にかかるカイロ用袋付き衣服は、請求項５の構成において、前記布袋は前記布袋と前記衣服の裏側にスナップの雄側と雌側のそれぞれをあるいはその逆に取り付けることによって前記衣服と着脱自在になっているものである。
【００９８】
即ち、布袋を衣服と独立に作製して、布袋の上端にスナップの雄側または雌側を取り付けて、衣服のウエストベルトの裏側にスナップの対応する側を取り付ける。そして、布袋に使い捨てカイロを入れて布袋のスナップを衣服のウエストベルトの裏側のスナップに嵌合させれば、衣服の裏側に使い捨てカイロの入った布袋を取り付けることができる。これによって、衣服を洗濯するとき等にはスナップを外すことによって布袋を取り外すことができ、また使い捨てカイロが不要なときにも布袋を取り外すことができる。
【００９９】
請求項１０の発明にかかるカイロ用袋付き衣服は、請求項５の構成において、前記布袋は前記布袋と前記衣服の裏側にドット釦の雄側と雌側のそれぞれをあるいはその逆に取り付けることによって前記衣服と着脱自在になっているものである。
【０１００】
即ち、布袋を衣服と独立に作製して、布袋の上端にドット釦の雄側または雌側を取り付けて、衣服のウエストベルトの裏側にドット釦の対応する側を取り付ける。そして、布袋に使い捨てカイロを入れて布袋のドット釦を衣服のウエストベルトの裏側のドット釦に嵌合させれば、衣服の裏側に使い捨てカイロの入った布袋を取り付けることができる。これによって、衣服を洗濯するとき等にはドット釦を外すことによって布袋を取り外すことができ、また使い捨てカイロが不要なときにも布袋を取り外すことができる。
【０１０１】
請求項１１の発明にかかるカイロ用袋付き衣服は、請求項５の構成において、前記布袋は前記布袋と前記衣服の裏側にマジックテープの硬い側と軟らかい側のそれぞれをあるいはその逆に取り付けることによって前記衣服と着脱自在になっているものである。
【０１０２】
即ち、布袋を衣服と独立に作製して、布袋の上端にマジックテープの硬い側または軟らかい側を取り付けて、衣服のウエストベルトの裏側にマジックテープの対応する側を取り付ける。そして、布袋に使い捨てカイロを入れて布袋のマジックテープを衣服のウエストベルトの裏側のマジックテープに貼り付ければ、衣服の裏側に使い捨てカイロの入った布袋を取り付けることができる。これによって、衣服を洗濯するとき等にはマジックテープを剥がすことによって布袋を取り外すことができ、また使い捨てカイロが不要なときにも布袋を取り外すことができる。
【０１０３】
請求項１２の発明にかかるカイロ用袋付き衣服は、請求項５の構成において、前記布袋は前記布袋と前記衣服の裏側にボタンとループのそれぞれをあるいはその逆に取り付けることによって前記衣服と着脱自在になっているものである。
【０１０４】
即ち、布袋を衣服と独立に作製して、布袋の上端にボタンまたはループを取り付けて、衣服のウエストベルトの裏側にループまたはボタンを取り付ける。そして、布袋に使い捨てカイロを入れてループをボタンに掛ければ、衣服の裏側に使い捨てカイロの入った布袋を取り付けることができる。これによって、衣服を洗濯するとき等にはループをボタンから外すことによって布袋を取り外すことができ、また使い捨てカイロが不要なときにも布袋を取り外すことができる。
【０１０５】
請求項１３の発明にかかるカイロ用袋付き衣服は、請求項５の構成において、前記布袋は前記布袋と前記衣服の裏側にアイレットスナップの雄側と雌側のそれぞれをあるいはその逆に取り付けることによって前記衣服と着脱自在になっているものである。
【０１０６】
即ち、布袋を衣服と独立に作製して、布袋の上端にアイレットスナップの雄側または雌側を取り付けて、衣服のウエストベルトの裏側にアイレットスナップの対応する側を取り付ける。そして、布袋に使い捨てカイロを入れて布袋のアイレットスナップを衣服のウエストベルトの裏側のアイレットスナップに嵌合させれば、衣服の裏側に使い捨てカイロの入った布袋を取り付けることができる。これによって、衣服を洗濯するとき等にはアイレットスナップを外すことによって布袋を取り外すことができ、また使い捨てカイロが不要なときにも布袋を取り外すことができる。
【図面の簡単な説明】
【図１】図１は本発明の実施の形態１にかかるカイロ用袋付き衣服の布袋をＺナップで取り付けるウエストベルト内側を開いたところを示す斜視図である。
【図２】図２は本発明の実施の形態１にかかるカイロ用袋付き衣服の使い捨てカイロを入れる布袋を示す正面図である。
【図３】図３は本発明の実施の形態１にかかるカイロ用袋付き衣服の布袋の別例を示した正面図である。
【図４】図４は本発明の実施の形態１にかかるカイロ用袋付き衣服の布袋の横型を示す正面図である。
【図５】図５は本発明の実施の形態２にかかるカイロ用袋付き衣服の布袋をラインスナップで取り付けるウエストベルト内側を開いたところを示す斜視図である。
【図６】図６は本発明の実施の形態３にかかるカイロ用袋付き衣服の布袋をボタンで取り付けるウエストベルト内側を開いたところを示す部分斜視図である。
【図７】図７は本発明の実施の形態３にかかるカイロ用袋付き衣服の布袋をボタンホールで取り付けるウエストベルト内側を開いたところを示す部分斜視図である。
【図８】図８は本発明の実施の形態４にかかるカイロ用袋付き衣服の布袋をマジックテープで取り付けるウエストベルト内側を開いたところを示す部分斜視図である。
【図９】図９は本発明の実施の形態５にかかるカイロ用袋付き衣服の布袋をループで取り付けるウエストベルト内側を開いたところを示す部分斜視図である。
【図１０】図１０は図９のループに掛けるボタンを取り付けた布袋を示す正面図である。
【図１１】図１１は本発明の実施の形態５の変形例にかかるカイロ用袋付き衣服の布袋にループを取り付けたものを示す正面図である。
【図１２】図１２は本発明の実施の形態５の変形例にかかるカイロ用袋付き衣服の布袋のループをウエストベルト裏側のボタンに掛けて取り付けた状態を示す部分正面図である。
【図１３】図１３は本発明の実施の形態５においてチイと呼ばれるループと同じ役割をするものを示す図である。
【図１４】図１４は本発明の実施の形態６にかかるカイロ用袋付き衣服にシャーリングを設けた場合の布袋をＺナップで取り付けるウエストベルト内側を開いたところを示す部分斜視図である。
【図１５】図１５は本発明の実施の形態６の変形例にかかるカイロ用袋付き衣服にシャーリングを設けた場合の布袋をＺナップで取り付けるウエストベルト内側を開いたところを示す部分斜視図である。
【図１６】図１６は本発明の実施の形態７にかかるカイロ用袋付き衣服に用いられるカイロ１個入り布袋を示す正面図である。
【図１７】図１７は本発明の実施の形態７にかかるカイロ用袋付き衣服に用いられるカイロ１個入り布袋の変形例を示す正面図である。
【図１８】図１８は本発明の実施の形態７にかかるカイロ用袋付き衣服に用いられるカイロ１個入り布袋の変形例を示す正面図である。
【図１９】図１９は本発明の実施の形態７にかかるカイロ用袋付き衣服に用いられるカイロ１個入り布袋の変形例を示す正面図である。
【図２０】図２０は本発明の実施の形態８にかかるカイロ用袋付き衣服に用いられるカイロ２個入り布袋を示す正面図である。
【図２１】図２１は本発明の実施の形態８にかかるカイロ用袋付き衣服に用いられるカイロ２個入り布袋の変形例を示す正面図である。
【図２２】図２２は本発明の実施の形態８にかかるカイロ用袋付き衣服に用いられるカイロ２個入り布袋の変形例を示す正面図である。
【図２３】図２３は本発明の実施の形態９にかかるカイロ用袋付き衣服に用いられるカイロ５個入り布袋を示す正面図である。
【図２４】図２４は本発明の実施の形態１０にかかるカイロ用袋付き衣服に布袋を取り付けるウエストベルト内側を開いたところを示す部分斜視図である。
【符号の説明】
１，１１，１６，２１，２６，３１，４２，４５，８６　カイロ用袋付き衣服２，１２，１７，２２，２７，３２，４３，８７　ウエストベルト
３ａ　Ｚナップの雄側
３ｂ　Ｚナップの雌側
４，８，１０，３４，３８，４６，５１，５６，
６１，６６，７１，７６，８１，８８　布袋
１３　ラインスナップ
１８，３６　ボタン
２４，５９　ボタンホール
２８　マジックテープ
３３，４０，５３，７８　ループ
Ｋ　使い捨てカイロ
【図１】
2004060121.tif 000003
【図２】
2004060121.tif 000004
【図３】
2004060121.tif 000005
【図４】
2004060121.tif 000006
【図５】
2004060121.tif 000007
【図６】
2004060121.tif 000008
【図７】
2004060121.tif 000009
【図８】
2004060121.tif 000010
【図９】
2004060121.tif 000011
【図１０】
2004060121.tif 000012
【図１１】
2004060121.tif 000013
【図１２】
2004060121.tif 000014
【図１３】
2004060121.tif 000015
【図１４】
2004060121.tif 000016
【図１５】
2004060121.tif 000017
【図１６】
2004060121.tif 000018
【図１７】
2004060121.tif 000019
【図１８】
2004060121.tif 000020
【図１９】
2004060121.tif 000021
【図２０】
2004060121.tif 000022
【図２１】
2004060121.tif 000023
【図２２】
2004060121.tif 000024
【図２３】
2004060121.tif 000025
【図２４】
2004060121.tif 000026